(57)【要約】【課題】本発明は、直進式ズームレンズ等のレンズ鏡筒およびこのレンズ鏡筒を備えたカメラシステムに関し、ズーム操作中に意図せずにオートフォーカスモードからマニュアルフォーカスモードに切り替わることを確実に防止することを目的とする。【解決手段】フォーカス駆動手段により合焦可能な状態でも手動操作部材の第２方向の操作を検出した場合には、フォーカス駆動手段の駆動により合焦可能な状態から手動操作部材の第２方向の操作により合焦可能な状態に切り替え可能な制御手段を有し、ズーム操作検出手段がズーム手段の駆動を検出している間は、手動操作部材の第２方向の操作を検出した場合であっても、制御手段による切り替えを行わないことを特徴とする。【選択図】　　　図１
2004078118.tif 000002
【特許請求の範囲】
【請求項１】
撮影光学系と、
前記撮影光学系の変倍レンズを前記撮影光学系の光軸方向に沿って移動させ焦点距離を変更するズーム手段と、
前記撮影光学系の合焦レンズを前記光軸方向に沿って移動させ前記撮影光学系の合焦を行うフォーカス手段と、
第１方向に操作することにより前記ズーム手段を操作可能であり、前記第１方向とは異なる第２方向に操作することにより前記フォーカス手段を操作可能な手動操作部材と、
この手動操作部材を操作することなく前記フォーカス手段を駆動可能なフォーカス駆動手段と、
前記手動操作部材の前記第１方向への操作を検出するズーム操作検出手段と、
前記手動操作部材の前記第２方向への操作を検出するフォーカス操作検出手段と、
前記フォーカス駆動手段により合焦可能な状態でも前記手動操作部材の前記第２方向の操作を検出した場合には、前記フォーカス駆動手段の駆動により合焦可能な状態から前記手動操作部材の前記第２方向の操作により合焦可能な状態に切り替え可能な制御手段と、
を有するレンズ鏡筒であって、
前記ズーム操作検出手段が前記ズーム手段の駆動を検出している間は、前記手動操作部材の前記第２方向の操作を検出した場合であっても、前記制御手段による切り替えを行わないことを特徴とするレンズ鏡筒。
【請求項２】
請求項１に記載のレンズ鏡筒において、
前記フォーカス操作検出手段は前記手動操作部材の前記第２方向への操作量を検出可能であり、前記手動操作部材が前記第２方向へ所定量以上操作されたことを前記フォーカス操作検出手段が検出した場合には、前記ズーム操作検出手段が前記ズーム手段の駆動を検出している間であっても、前記制御手段による切り替えを行うことを特徴とするレンズ鏡筒。
【請求項３】
請求項１又は請求項２に記載のレンズ鏡筒において、
前記フォーカス駆動手段は、
圧電素子とこの圧電素子で発生した振動により表面に楕円運動を発生する弾性体とからなるステータと、このステータに当接し前記ステータの振動により回転運動させられるロータとを有する超音波モータであることを特徴とするレンズ鏡筒。
【請求項４】
請求項１ないし請求項３のいずれか１項に記載のレンズ鏡筒において、
前記フォーカス操作検出手段は、
プリント基板と、
このプリント基板に付勢されながら前記プリント基板に形成された導電パターンと摺動するブラシと、
を有し、
前記導電パターンは前記プリント基板の周方向に沿って所定ピッチで複数配置され、
前記ブラシは、前記複数の導電パターンに対し、接触する前記導電パターンを順次異ならせながら摺動されることを特徴とするレンズ鏡筒。
【請求項５】
請求項１ないし請求項３のいずれか１項に記載のレンズ鏡筒において、
前記ズーム操作検出手段は、
プリント基板と、
このプリント基板に付勢されながら前記プリント基板に形成された導電パターンと摺動するブラシと、
を有し、
前記導電パターンは前記プリント基板に所定ピッチで複数配置され、
前記ブラシは、前記複数の導電パターンに対し、接触する前記導電パターンを順次異ならせながら摺動されることを特徴とするレンズ鏡筒。
【請求項６】
請求項１ないし請求項５のいずれか１項に記載のレンズ鏡筒において、
前記手動操作部材の前記第１方向は、前記光軸方向であり、
前記手動操作部材の前記第２方向は、前記撮影光学系の光軸を回転軸とする回転方向であることを特徴とするレンズ鏡筒。
【請求項７】
請求項１ないし請求項６のいずれか１項に記載のレンズ鏡筒を備えたことを特徴とするカメラシステム。
【発明の詳細な説明】
【０００１】
【発明の属する技術分野】
本発明は、カメラ等のレンズ鏡筒に係わり、特に、直進式ズームレンズ等のレンズ鏡筒およびこのレンズ鏡筒を備えたカメラシステムに関する。
【０００２】
【従来の技術】
従来、フォーカス操作とズーム操作とを別々の操作部材の回転操作で行ういわゆる２操作タイプのレンズ鏡筒が知られている。
このレンズ鏡筒では、フォーカス操作環を回転しない時には、オートフォーカスが行われ、フォーカス操作環を回転することによりマニュアルフォーカスが行われる。そして、ズーム操作環を回転することにより、ズーム操作が行われる。
【０００３】
しかしながら、このような２操作タイプのレンズ鏡筒では、フォーカス操作とズーム操作とを別々の部材の回転操作で行うため、撮影時にズーム操作とフォーカス操作との切り替えを行うのにレンズ鏡筒に対する手の位置を替えなければならず、瞬時に切り替えを行うことができず、また、操作が煩雑になるという欠点があった。
【０００４】
一方、従来、１部材または２部材の操作部材からなり、操作部材の光軸方向への直進操作によりズーミングを行い、光軸周りの回転操作によりマニュアルフォーカスを行ういわゆる１操作タイプのレンズ鏡筒が知られている。
このような１操作タイプのレンズ鏡筒では、撮影時にズーム操作とマニュアルフォーカス操作との切り替えを行うのに、レンズ鏡筒に対する手の位置を変更する必要がないため、瞬時に切り替えを行うことができ、また、操作が簡易なものになる。
【０００５】
【発明が解決しようとする課題】
しかしながら、このような１操作タイプのレンズ鏡筒では、撮影者の手が、常にフォーカス操作とズーム操作との操作部材に掛かっているため、操作部材の回転によりオートフォーカスモードからマニュアルフォーカスモードに自動的に切り替わるレンズ鏡筒では、ピントのずれた写真ができるおそれがあるという問題があった。
【０００６】
すなわち、操作部材の光軸方向への直進操作によるズーム操作中に、意図せずに操作部材を回転させてしまうと、オートフォーカスモードからマニュアルフォーカスモードへ自動的に切り替わってしまい、ピントの合わせ直しができない状態で撮影が行われ、ピントのずれた写真ができるおそれがあった。
本発明は、かかる従来の問題を解決するためになされたもので、ズーム操作中に意図せずにオートフォーカスモードからマニュアルフォーカスモードに切り替わることを確実に防止することができるレンズ鏡筒およびこのレンズ鏡筒を備えたカメラシステムを提供することを目的とする。
【０００７】
【課題を解決するための手段】
請求項１のレンズ鏡筒は、撮影光学系と、前記撮影光学系の変倍レンズを前記撮影光学系の光軸方向に沿って移動させ焦点距離を変更するズーム手段と、前記撮影光学系の合焦レンズを前記光軸方向に沿って移動させ前記撮影光学系の合焦を行うフォーカス手段と、第１方向に操作することにより前記ズーム手段を操作可能であり、前記第１方向とは異なる第２方向に操作することにより前記フォーカス手段を操作可能な手動操作部材と、この手動操作部材を操作することなく前記フォーカス手段を駆動可能なフォーカス駆動手段と、前記手動操作部材の前記第１方向への操作を検出するズーム操作検出手段と、前記手動操作部材の前記第２方向への操作を検出するフォーカス操作検出手段と、前記フォーカス駆動手段により合焦可能な状態でも前記手動操作部材の前記第２方向の操作を検出した場合には、前記フォーカス駆動手段の駆動により合焦可能な状態から前記手動操作部材の前記第２方向の操作により合焦可能な状態に切り替え可能な制御手段とを有するレンズ鏡筒であって、前記ズーム操作検出手段が前記ズーム手段の駆動を検出している間は、前記手動操作部材の前記第２方向の操作を検出した場合であっても、前記制御手段による切り替えを行わないことを特徴とする。
【０００８】
請求項２のレンズ鏡筒は、請求項１に記載のレンズ鏡筒において、前記フォーカス操作検出手段は前記手動操作部材の前記第２方向への操作量を検出可能であり、前記手動操作部材が前記第２方向へ所定量以上操作されたことを前記フォーカス操作検出手段が検出した場合には、前記ズーム操作検出手段が前記ズーム手段の駆動を検出している間であっても、前記制御手段による切り替えを行うことを特徴とする。
【０００９】
請求項３のレンズ鏡筒は、請求項１又は請求項２に記載のレンズ鏡筒において、前記フォーカス駆動手段は、圧電素子とこの圧電素子で発生した振動により表面に楕円運動を発生する弾性体とからなるステータと、このステータに当接し前記ステータの振動により回転運動させられるロータとを有する超音波モータであることを特徴とする。
【００１０】
請求項４のレンズ鏡筒は、請求項１ないし請求項３のいずれか１項に記載のレンズ鏡筒において、前記フォーカス操作検出手段は、プリント基板と、このプリント基板に付勢されながら前記プリント基板に形成された導電パターンと摺動するブラシとを有し、前記導電パターンは前記プリント基板の周方向に沿って所定ピッチで複数配置され、前記ブラシは、前記複数の導電パターンに対し、接触する前記導電パターンを順次異ならせながら摺動されることを特徴とする。
【００１１】
請求項５のレンズ鏡筒は、請求項１ないし請求項３のいずれか１項に記載のレンズ鏡筒において、前記ズーム操作検出手段は、プリント基板と、このプリント基板に付勢されながら前記プリント基板に形成された導電パターンと摺動するブラシとを有し、前記導電パターンは前記プリント基板に所定ピッチで複数配置され、前記ブラシは、前記複数の導電パターンに対し、接触する前記導電パターンを順次異ならせながら摺動されることを特徴とする。
【００１２】
請求項６のレンズ鏡筒は、請求項１ないし請求項５のいずれか１項に記載のレンズ鏡筒において、前記手動操作部材の前記第１方向は、前記光軸方向であり、前記手動操作部材の前記第２方向は、前記撮影光学系の光軸を回転軸とする回転方向であることを特徴とする。
請求項７のカメラシステムは、請求項１ないし請求項６のいずれか１項に記載のレンズ鏡筒を備えたことを特徴とする。
【００１３】
（作用）
請求項１のレンズ鏡筒では、手動操作部材の操作が行われない時には、フォーカス駆動手段によりフォーカス手段が自動的に駆動されるオートフォーカスモードとされる。
そして、手動操作部材が第２方向に操作されると、手動操作部材の第２方向への操作により合焦するマニュアルフォーカスモードとされる。
【００１４】
しかしながら、手動操作部材が第１方向に操作されているズーム操作の間に、手動操作部材の第２方向への操作が検出された場合には、マニュアルフォーカスモードに切り替わることなくオートフォーカスモードとされる。
請求項２のレンズ鏡筒では、手動操作部材が第２方向へ所定量以上操作されたことがフォーカス操作検出手段により検出されると、ズーム操作検出手段がズーム手段の駆動を検出している間であっても、マニュアルフォーカスモードへの切り替えが行われる。
【００１５】
請求項３のレンズ鏡筒では、フォーカス駆動手段に、小型軽量であり、磁気作用がなく、応答性に優れ、低速でも高トルクが得られるといった特性を有する超音波モータが使用される。
【００１６】
請求項４のレンズ鏡筒では、プリント基板の周方向に沿って所定ピッチで形成される導電パターンに、ブラシを付勢して摺動することにより手動操作部材の第２方向への操作量が検出される。
請求項５のレンズ鏡筒では、プリント基板の周方向に沿って所定ピッチで形成される導電パターンに、ブラシを付勢して摺動することにより手動操作部材の第１方向への操作量が検出される。
【００１７】
請求項６のレンズ鏡筒では、手動操作部材を光軸方向に移動することによりズーム操作が行われ、手動操作部材を回転することによりマニュアルフォーカス操作が行われる。
請求項７のカメラシステムでは、請求項１ないし請求項６のいずれか１項に記載のレンズ鏡筒が用いられる。
【００１８】
【発明の実施の形態】
以下、本発明の実施形態を図面を用いて詳細に説明する。
（第１の実施形態）
図１は、本発明のレンズ鏡筒の第１の実施形態を備えたカメラシステムを示している。
【００１９】
このカメラシステム３５は、レンズ鏡筒３７とカメラ本体３９とを有している。
カメラ本体３９には、被写界からの光を受光するＣＣＤ４１と、カメラ本体３９の各種制御を行うカメラ側ＣＰＵ４３と、カメラ本体３９等を動作させるためのプログラムが記録されたＲＯＭ４６とが内蔵されている。
また、カメラ本体３９には、ＣＣＤ４１から出力された画像データを記録するためのフラッシュメモリー４４が内蔵されている。このフラッシュメモリー４４は、カメラ本体３９に設けられたリセプタクル型のコネクターに挿抜される。
【００２０】
一方、レンズ鏡筒３７には、変倍レンズであるレンズ群Ｌ１，Ｌ２，Ｌ３と、合焦レンズであるレンズ群Ｌ２とが設けられている。そして、これ等のレンズ群Ｌ１，Ｌ２，Ｌ３とＣＣＤ４１とにより撮影光学系が形成されている。
また、レンズ鏡筒３７には、カメラ側ＣＰＵ４３と通信可能なレンズ側ＣＰＵ４５が内蔵されている。このレンズ側ＣＰＵ４５には、フォーカス操作検出手段であるフォーカス操作検出装置４９からの出力信号が入力される。
【００２１】
フォーカス操作検出装置４９は、手動操作部材であるフォーカス操作環４７の第２方向への操作を検出する。ここで、第２方向への操作とは、フォーカス操作環４７をその光軸方向の位置を変えずに回転させること、すなわち撮影光学系の光軸Ｌを中心に回転させることをいう。
さらに、レンズ側ＣＰＵ４５には、ズーム操作検出手段であるズーム操作検出装置５１からの出力信号が入力される。このズーム操作検出装置５１は、上述したフォーカス操作環４７とともに手動操作部材を構成するズーム操作環５３の第１方向への操作を検出する。ここで、第１方向への操作とは、ズーム操作環５３を光軸Ｌ方向に沿って移動させることをいう。
【００２２】
そして、ズーム操作環５３を光軸Ｌ方向に沿って移動させると、変倍レンズであるレンズ群Ｌ１，Ｌ２，Ｌ３が光軸Ｌ方向に沿って移動する。また、フォーカス操作環４７を回転させると、合焦レンズであるレンズ群Ｌ２が光軸Ｌ方向に沿って移動する。
レンズ群Ｌ２の光軸Ｌ方向への移動量は、レンズ移動量検出装置５５によって検出される。このレンズ移動量検出装置５５からの出力信号はレンズ側ＣＰＵ４５に入力される。
【００２３】
レンズ側ＣＰＵ４５は、レンズ側ＣＰＵ４５に入力された信号に基づき各種の制御処理を行う。例えば、オートフォーカスモード時には、フォーカス駆動手段である超音波モータ５９を駆動し、レンズ群Ｌ２を移動する。
また、超音波モータ５９により合焦可能なオートフォーカスモード状態でも、フォーカス操作環４７の回転を検出した場合には、超音波モータ５９の駆動により合焦可能なオートフォーカスモード状態からフォーカス操作環４７の回転により合焦可能なマニュアルフォーカスモード状態に切り替える。
【００２４】
そして、この実施形態では、ズーム操作検出装置５１がズーム操作環５３の駆動を検出している間は、フォーカス操作検出装置４９によりフォーカス操作環４７が所定量以上回転したことが検出されるまでマニュアルフォーカスモードへの切り換えが行われないように設定されている。この所定量は、フォーカス操作環４７の１度〜３度の回転程度に設定しておくことが実用上好ましい。
【００２５】
図２は、上述したレンズ鏡筒３７の詳細を示している。
このレンズ鏡筒３７は、円筒状の固定筒６１と、固定筒６１に対して移動可能に配置される移動筒６３とを有している。
固定筒６１には、その光軸Ｌ方向に沿って延出する３つの筒状部６１ａ，６１ｂ，６１ｃが一体形成されている。
【００２６】
また、移動筒６３には、ズーム操作環５３と、レンズホルダー部６３ｂとが一体形成されている。
そして、固定筒６１の筒状部６１ｂと筒状部６１ｃとの間隙に、レンズホルダー部６３ｂから延出した筒状部６３ａが挿入されている。
レンズホルダー部６３ｂには、レンズ群Ｌ１が嵌入されている。また、固定筒６１には、レンズ群Ｌ２が嵌入された円筒状のレンズホルダー６５と、レンズ群Ｌ３が嵌入された円筒状のレンズホルダー６７とが挿入されている。
【００２７】
固定筒６１の外周面６１ｄには、移動筒６３のズーム操作環５３が、固定筒６１の光軸Ｌ方向に沿って移動可能に外嵌されている。また、ズーム操作環５３の被写体側（図中、左側）の外周面５３ｃには、フォーカス操作環４７が回動可能に外嵌されている。
フォーカス操作環４７には、光軸Ｌに向かって突出した後、光軸Ｌ方向に折曲するＬ字状の突出部４７ａが、周方向に所定角度を置いて複数配置されている。
【００２８】
フォーカス操作環４７の突出部４７ａは、円筒状の連結部材７１の外周に形成される係合穴７１ａに係合されている。この連結部材７１のマウント側（図中、右側）には、円筒状の回転ローラ７３が配置されている。
回転ローラ７３は、円筒状の回転リング７７の外周に複数設けられている。回転ローラ７３の中央にはローラ支持軸７５が挿通されている。このローラ支持軸７５は、回転リング７７の外周に固定されている。
【００２９】
回転リング７７のマウント側には、超音波モータ５９が配置されている。
この超音波モータ５９は、ロータ７９とステータ８１とばね８３とにより構成されている。ステータ８１は、圧電素子とこの圧電素子で発生した振動により表面に楕円運動を発生する弾性体とからなる。ロータ７９は、ステータ８１に当接されステータ８１の振動により回転運動させられる。ばね８３は、ステータ８１のマウント側と固定筒６１との間に圧縮して挟み込まれている。
【００３０】
一方、回転リング７７の被写体側には、連結キー８４が配置され、連結キー８４の外側フランジが、ビス８５により回転リング７７に固定されている。
連結キー８４の被写体側の先端には、レンズホルダー６５の突出部６５ａが係合されている。
レンズホルダー部６３ｂから延出した筒状部６３ａと、固定筒６１の筒状部６１ｃとの間には、円筒状のカムリング８６が配置されている。このカムリング８６は、固定筒６１の筒状部６１ｃの外周に嵌合され、光軸Ｌ回りの回転のみを許容されている。
【００３１】
また、固定筒６１の筒状部６１ｃと、レンズホルダー６５の間には、円筒状の移動部材９１が配置されている。この移動部材９１は、レンズホルダー６５の外周に光軸Ｌ方向に移動可能に嵌合されている。また、移動部材９１には、レンズホルダー６５に固定されるピン６５ｂが係合されるカム溝９１ａが形成されている。
【００３２】
カムリング８６には、カム溝８６ａ，８６ｂ，８６ｃが形成され、固定筒６１の筒状部６１ｃには、直進溝６１ｈ，６１ｉ，６１ｊが形成されている。そして、カム溝８６ａおよび直進溝６１ｈには、移動部材９１に固定されるピン９２が係合されている。また、カム溝８６ｂおよび直進溝６１ｉには、レンズホルダー６７に固定されるピン９３が係合されている。さらに、カム溝８６ｃおよび直進溝６１ｊには、移動筒６３の筒状部６３ａに固定されるピン６３ｃが係合されている。
【００３３】
そして、この実施形態では、固定筒６１の筒状部６１ｂと筒状部６１ｃとの間のマウント側には、ズーム操作検出装置５１が設けられている。また、固定筒６１の筒状部６１ｂの先端には、フォーカス操作検出装置４９が設けられている。ズーム操作検出装置５１は、図３に示すように、カムリング８６に固定されるブラシ取付部８６ｂに取り付けられたブラシ８７と、輪環状のプリント基板８８とを備えている。
【００３４】
ブラシ８７の先端部８７ａは、炭素元素を含む物質より作られた導体であり、プリント基板８８側に付勢されており、先端部８７ａが摩耗しても常にプリント基板８８との接触が保たれる。また、プリント基板８８には、カムリング８６の回転量を検出するために周方向に沿って多数の電極８８ａが所定ピッチで配置されている。
【００３５】
このズーム操作検出装置５１では、カムリング８６が回転するとブラシ８７も回転するので、ブラシ８７と接触する電極８８ａが順次隣接する電極８８ａへ移り、異なる電極８８ａと接触する度にパルスを発生する。そして、このパルスがレンズ側ＣＰＵ４５（図１に記載）に送信されることで、カムリング８６の回転量が算出される。
【００３６】
この実施形態では、フォーカス操作検出装置４９もズーム操作検出装置５１と同様の構成を有している。すなわち、図２に示したように、連結部材７１の内周のマウント側にブラシ取付部７１ｂが設けられ、筒状部６１ｂの先端に形成された突起部６１ｅにプリント基板９０が設けられている。そして、ブラシ取付部７１ｂに固定されるブラシ８９の先端が、プリント基板９０の電極に接触されている。
【００３７】
以下、上述したレンズ鏡筒３７の機械的な動作について具体的に説明する。
先ず、オートフォーカスモード時のレンズ鏡筒３７の動作について説明する。上述したレンズ鏡筒３７では、超音波モータ５９のステータ８１に電圧が印加されると、ステータ８１に振動が発生する。ステータ８１に振動が発生すると、ロータ７９が回転し、このロータ７９に当接した回転ローラ７３が回転する。
【００３８】
回転ローラ７３は、フォーカス操作環４７と一体的に回転が固定されている連結部材７１を案内面にして、ローラ支持軸７５を中心にして自転しながら、光軸Ｌ周りに公転し、回転リング７７が、回転ローラ７３の１／２の速度で光軸Ｌ周りに回転する。
そして、回転リング７７には、連結キー８４が固定され、連結キー８４の先端には、レンズホルダー６５の突出部６５ａが係合しているため、回転リング７７が回転すると、連結キー８４によりレンズホルダー６５が回転し、レンズホルダー６５は、移動部材９１に形成されたカム溝９１ａに沿って回転し、光軸Ｌ方向に回転しながら移動する。
【００３９】
次に、マニュアルフォーカスモード時のレンズ鏡筒３７の動作について説明する。
マニュアルフォーカスモード時には、超音波モータ５９のロータ７９とステータ８１とは、ばね８３による加圧力により一体的に回転が固定されている。
この状態で、フォーカス操作環４７を光軸Ｌを中心に回転させると連結部材７１が回転し、回転ローラ７３は、ロータ７９を案内面にして、ローラ支持軸７５を中心にして自転しながら、光軸Ｌ周りに公転し、回転リング７７が、フォーカス操作環４７の１／２の速度で光軸Ｌ周りに回転する。
【００４０】
回転リング７７が回転すると、レンズホルダー６５は、連結キー８４を介して光軸Ｌを中心に回転し、移動部材９１のカム溝９１ａに沿って光軸Ｌ方向に回転しながら移動する。
次に、ズーミング時のレンズ鏡筒３７の動作について説明する。
ズーミング時には、ズーム操作環５３を指で保持しながら光軸Ｌ方向に沿って移動させると、移動筒６３のレンズホルダー部６３ｂから延出した筒状部６３ａも移動する。そして、この筒状部６３ａに設けられたピン６３ｃが、カムリング８６のカム溝８６ｃおよび固定筒６１の筒状部６１ｃに形成される直進溝６１ｊに係合しているため、カムリング８６は回転する。
【００４１】
カムリング８６が回転すると、カム溝８６ａに係合したピン９２を備えた移動部材９１が光軸Ｌ方向に沿って移動する。移動部材９１が移動すると、カム溝９１ａに係合したピン６５ｂを有するレンズホルダー６５も移動する。また、カム溝８６ｂに係合したピン９３を備えたレンズホルダー６７も移動する。
このように、ズーミング時には、レンズホルダー部６３ｂおよびレンズホルダー６５，６７にそれぞれ嵌入されたレンズ群Ｌ１，Ｌ２，Ｌ３が、光軸Ｌ方向に沿って移動し、変倍操作が行われる。
【００４２】
次に、上述したレンズ鏡筒３７のオートフォーカスモードからマニュアルフォーカスモードへの切り替え動作について説明する。
オートフォーカス動作中にフォーカス操作環４７を回転させると、フォーカス操作検出装置４９により、フォーカス操作環４７が回転したことが検出される。すなわち、フォーカス操作環４７の回転により連結部材７１が回転すると、連結部材７１にブラシ取付部７１ｂを介して取り付けられたブラシ８９が、プリント基板９０の電極８８ａに沿って摺動し、所定角度の回動に対応してパルスが発生する。
【００４３】
そして、フォーカス操作環４７が、所定量以上回転し、ブラシ８９とプリント基板９０との接触により発生するパルスが所定数測定されると、超音波モータ５９のステータ８１への電源の供給が絶たれる。電源の供給が絶たれると、ロータ７９とステータ８１とは、保持力により一体となり、上述したマニュアルフォーカス時の状態となり、フォーカス操作環４７によるフォーカシングが直ちに可能になる。
【００４４】
以下、図１に示したカメラシステム３５の全体的な動作について説明する。
図１に示したカメラシステム３５では、オートフォーカスモード時には、カメラ本体３９に内蔵されたカメラ側ＣＰＵ４３により、被写体に焦点が合うまでに必要なレンズ群Ｌ２の移動量がレンズ鏡筒３７側のレンズ側ＣＰＵ４５に伝達される。
【００４５】
レンズ鏡筒３７のレンズ側ＣＰＵ４５は、超音波モータ５９を駆動することによりレンズ群Ｌ２を光軸Ｌ方向に沿って移動させるとともに、レンズ移動量検出装置５５からの信号によりレンズ群Ｌ２の移動量を算出する。そして、必要移動量の移動が終了したところで超音波モータ５９の駆動を停止する。
そして、オートフォーカス動作中に、撮影者がフォーカス操作環４７を回転させた場合には、その回転量をフォーカス操作検出装置４９が検出し、レンズ側ＣＰＵ４５に伝達する。
【００４６】
レンズ側ＣＰＵ４５は、フォーカス操作環４７の回転量が所定量未満の場合は、超音波モータ５９の駆動をそのまま継続する。一方、フォーカス操作環４７の回転量が所定量以上の場合は、超音波モータ５９の駆動を禁止するとともに、カメラ側ＣＰＵ４３にオートフォーカスモードからマニュアルフォーカスモードに切り替わったことを伝達する。これにより、レンズ群Ｌ２は、フォーカス操作環４７を回転させることによってのみ移動させられるようになる。
【００４７】
そして、上述したカメラシステム３５では、撮影者が、ズーム操作環５３あるいはズーム操作環５３とフォーカス操作環４７を保持してズーミング操作をすると、ズーム操作検出装置５１によりパルスが発生し、パルス信号がレンズ側ＣＰＵ４５に出力される。
レンズ側ＣＰＵ４５は、ズーム操作検出装置５１からパルスが発生している間、すなわち、ズーミング操作をしている間は、フォーカス操作環４７が微少回転し、フォーカス操作検出装置４９から所定の閾値以下の数のパルスが発生しても、撮影者が意図せずにフォーカス操作環４７を回転させたものと判断し、超音波モータ５９への電源の供給を継続し、オートフォーカスモードの状態を維持する。
【００４８】
そして、フォーカス操作検出装置４９から所定の閾値を越える数のパルスが発生した場合には、撮影者が意図的にフォーカス操作環４７を回転させたものと判断し、超音波モータ５９への電源の供給を直ちに中止し、マニュアルフォーカスモードにして、フォーカス操作環４７によるフォーカシングが直ちに可能になる。
上述したレンズ鏡筒では、ズーム操作環５３が光軸Ｌ方向に操作されているズーム操作の間に、フォーカス操作環４７の所定量以下の回転操作が検出された場合には、マニュアルフォーカスモードに切り替わることなくオートフォーカスモードになるようにしたので、ズーム操作中に意図せずにオートフォーカスモードからマニュアルフォーカスモードに切り替わることを確実に防止することができる。
【００４９】
また、超音波モータ５９により合焦レンズであるレンズ群Ｌ２を駆動するようにしたので、オートフォーカスを高い精度で迅速に行うことができる。
さらに、上述したレンズ鏡筒では、フォーカス操作検出装置４９およびズーム操作検出装置５１を、ブラシ８９，８７とプリント基板９０，８８との接触により発生するパルスを測定して検出するようにしたので、フォーカス操作量およびズーム操作量を高い精度で確実に検出することができる。
【００５０】
（第２の実施形態）
図４は、本発明のレンズ鏡筒の第２の実施形態を示している。
この第２の実施形態のレンズ鏡筒３７Ａでは、固定筒６１Ａに、超音波モータ５９Ａがユニットとして、光軸Ｌ方向に移動不能にかつ回転可能に保持されている。
【００５１】
すなわち、この実施形態では、第１の実施形態における固定筒６１の筒状部６１ｂが固定筒６１から分離した構成とされ、回転筒９４として固定筒６１Ａ内に配置されている。
回転筒９４は、固定筒６１Ａに対して回転可能に配置されている。回転筒９４には、環状溝９４ｂが形成され、この環状溝９４ｂに固定筒６１Ａのピン９５ａを係合することにより回転筒９４の光軸Ｌ方向への移動が阻止されている。
【００５２】
そして、回転筒９４の外側に、超音波モータ５９Ａのロータ７９、ステータ８１、および、ばね８３がユニットとして組み込まれている。
また、この実施形態では、回転筒９４のマウント側と固定筒６１Ａとの間に、プリント基板９７とブラシ９８とを備えたフォーカス操作検出装置４９Ａが配置されている。
【００５３】
なお、この実施形態において第１の実施形態と同一の部材には、同一の符号を付して詳細な説明を省略する。
この実施形態では、オートフォーカス時には、超音波モータ５９Ａのステータ８１が固定され、ロータ７９が回転される。一方、マニュアルフォーカ時には、ステータ８１とロータ７９が保持力で一体の状態とされ、超音波モータ５９Ａとともに回転筒９４を回転させてフォーカシングが行われる。
【００５４】
そして、回転筒９４の回転によりフォーカス操作検出装置４９Ａのプリント基板９７が回転し、回転筒９４の回転量が測定される。
このレンズ鏡筒３７Ａにおいても第１の実施形態と同様の作用効果を得ることができる。
【００５５】
（第３の実施形態）
図５は、本発明のレンズ鏡筒の第３の実施形態を示している。
この第３の実施形態のレンズ鏡筒３７Ｂでは、レンズ群Ｌ１を保持する移動筒６３Ｂの筒状部９９ａに、超音波モータ５９Ｂの各部品が搭載されている。
すなわち、この実施形態では、レンズ群Ｌ１を保持する移動筒６３Ｂの筒状部９９ａのマウント側に、超音波モータ５９Ｂのステータ８１が配置され、ステータ８１と固定板１０３との間にばね８３が配置されている。
【００５６】
また、連結部材１０９は、移動筒６３Ｂのレンズホルダー部９９の外周に、回転可能に嵌合され、移動筒６３Ｂとともに光軸方向に移動するように構成されている。
なお、この実施形態において第１の実施形態と同一の部材には、同一の符号を付して詳細な説明を省略する。
【００５７】
この実施形態では、ズーミングにより、超音波モータ５９Ｂおよび連結部材１０９が光軸Ｌ方向に移動する。
このレンズ鏡筒３７Ｂにおいても第１の実施形態と同様の作用効果を得ることができる。
（第４の実施形態）
図６は、本発明のレンズ鏡筒の第４の実施形態を示している。
【００５８】
この第４の実施形態のレンズ鏡筒３７Ｃでは、レンズ群Ｌ１を保持する移動筒６３Ｃの筒状部１１１に、超音波モータ５９Ｃがユニットとして、筒状部１１１に対して光軸Ｌ方向に移動不能にかつ回転可能に保持されている。
すなわち、この実施形態では、第３の実施形態における移動筒６３Ｂの筒状部９９ａのマウント側が分離した構成とされ、回転筒１１７として筒状部１１１の外側に配置されている。
【００５９】
回転筒１１７は、筒状部１１１に対して回転可能に配置されている。回転筒１１７には、環状溝１１７ｂが形成され、この環状溝１１７ｂに筒状部１１１のピン１１１ａを係合することにより回転筒１１７の光軸方向への移動が阻止されている。
そして、回転筒１１７の外側に、超音波モータ５９Ｃのロータ７９、ステータ８１、および、ばね８３がユニットとして組み込まれている。
【００６０】
なお、この実施形態において第１の実施形態と同一の部材には、同一の符号を付して詳細な説明を省略する。
この実施形態では、オートフォーカス時には、超音波モータ５９Ｃのステータ８１が固定され、ロータ７９が回転される。一方、マニュアルフォーカ時には、ステータ８１とロータ７９が保持力で一体の状態とされ、超音波モータ５９Ｃとともに回転筒１１７を回転させてフォーカシングが行われる。
【００６１】
このレンズ鏡筒においても第１の実施形態と同様の作用効果を得ることができる。
なお、上述した実施形態では、ズーム操作検出装置５１およびフォーカス操作検出装置４９を、電気的接続のオン／オフによりパルスを発生させるように構成した例について説明したが、本発明はかかる実施形態に限定されるものでなく、光学的な方法、あるいは、ズーム操作、フォーカス操作に関連する部材が動いていることを検出できる方法であれば良い。また、従来よりあるズーミング、フォーカシングの絶対位置を検出するいわゆるズームエンコーダ、距離エンコーダであっても良い。
【００６２】
また、上述した実施形態では、ズーム操作時に、フォーカス操作環４７の所定量以下の回転操作が検出された場合に、マニュアルフォーカスモードに切り替わることなくオートフォーカスモードになるようにした例について説明したが、本発明はかかる実施形態に限定されるものではなく、ズーム操作時に、フォーカス操作環４７の回転操作が検出された場合に、回転量に関係なく、マニュアルフォーカスモードに切り替わることなくオートフォーカスモードになるようにしても良い。
【００６３】
【発明の効果】
請求項１のレンズ鏡筒では、手動操作部材が第１方向に操作されているズーム操作の間に、手動操作部材の第２方向の操作が検出された場合には、マニュアルフォーカスモードに切り替わることなくオートフォーカスモードになるようにしたので、ズーム操作中に意図せずにオートフォーカスモードからマニュアルフォーカスモードに切り替わることを確実に防止することができる。
【００６４】
請求項２のレンズ鏡筒では、手動操作部材を第２方向へ所定量以上操作しなければ、すなわち意図的に操作しなけれマニュアルフォーカスモードに切り替わらないため、ズーム操作中に意図せずにオートフォーカスモードからマニュアルフォーカスモードに切り替わることを有効に防止することができる。
請求項３のレンズ鏡筒では、フォーカス駆動手段に超音波モータを使用したので、オートフォーカスを高い精度で迅速に行うことができる。
【００６５】
請求項４のレンズ鏡筒では、手動操作部材の第２方向への操作量を高い精度で確実に検出することができる。
請求項５のレンズ鏡筒では、手動操作部材の第１方向への操作量を高い精度で確実に検出することができる。
請求項６のレンズ鏡筒では、撮影時にズーム操作とマニュアルフォーカス操作との切り替えを行うのに、レンズ鏡筒に対する手の位置を変更する必要がないため、瞬時に切り替えを行うことができ、また、操作が簡易なものになる。
【００６６】
請求項７のカメラシステムでは、ズーム操作中に意図せずにオートフォーカスモードからマニュアルフォーカスモードに切り替わることを確実に防止することができる。
【図面の簡単な説明】
【図１】本発明のレンズ鏡筒の第１の実施形態を備えたカメラシステムを示す説明図である。
【図２】本発明のレンズ鏡筒の第１の実施形態の構造を詳細に示す説明図である。
【図３】図１のズーム操作検出装置の詳細を示す説明図である。
【図４】本発明の第２の実施形態に係るレンズ鏡筒を示す説明図である。
【図５】本発明の第３の実施形態に係るレンズ鏡筒を示す説明図である。
【図６】本発明の第４の実施形態に係るレンズ鏡筒を示す説明図である。
【符号の説明】
３７，３７Ａ，３７Ｂ，３７Ｃ　レンズ鏡筒
３５　カメラシステム
４７　フォーカス操作環
４９，４９Ａ　フォーカス検出装置
５１　ズーム検出装置
５３　ズーム操作環
５９，５９Ａ，５９Ｂ，５９Ｃ　超音波モータ
【図１】
2004078118.tif 000003
【図２】
2004078118.tif 000004
【図３】
2004078118.tif 000005
【図４】
2004078118.tif 000006
【図５】
2004078118.tif 000007
【図６】
2004078118.tif 000008